(57)【特許請求の範囲】
【請求項１】
プリント配線板を保持する保持部と、
このプリント配線板に形成された配線パターンの導通を検査する一対のコンタクトピンを植設し上記プリント配線板の上部に位置されかつ上下に昇降するように本体に結合された検査部と、
この検査部がプリント配線板の検査を行い不良と判断した際に入力されたアドレスにもとづき不良と判断した位置まで移動して上記検査部および上記プリント配線板の配線パターンを映し出す認識カメラを備え、上記プリント配線板のランドと上記コンタクトピンにゴミが付着しているか否か、また、上記ランドと上記コンタクトピンとの相対位置が合っているか否か、また、上記コンタクトピンに曲がりあるいは傾きがあるか否かについて上記認識カメラにより検査部とプリント配線板を映し出すことにより判定できるようにする判定部と、
この判定部を入力されたアドレスにより操作して導通状態に異常があると判断したときの上記プリント配線板と上記検査部の間における不良ポイントに停止するように移動させる操作部と、
上記認識カメラに接続され、上記検査部のコンタクトピン、およびそれに対応する上記プリント配線板の配線パターンのランドを映し出すモニター部からなるプリント配線板用電気検査機。
【発明の詳細な説明】
【０００１】
【産業上の利用分野】
本発明はプリント配線板に形成された配線パターンの導通検査を行うプリント配線板用電気検査機に関するものである。
【０００２】
【従来の技術】
従来のプリント配線板用電気検査機について、以下に図面を用いて説明する。
【０００３】
図２は従来のプリント配線板用電気検査機の構成を略図で示す要部斜視図であり、同図において１は主平面にランド２を形成したプリント配線板、４はこのプリント配線板１の上面側の上部に配置され一対のコンタクトピン３を植設した検査部である。
【０００４】
このように構成された従来のプリント配線板用電気検査機は、プリント配線板１を同検査機本体に取付けられた保持部（ともに図示せず）で定位置に固定し、検査部４を下降させることによって一対のコンタクトピン３をプリント配線板１に形成されたランド２の両端部に接触させて、その導通状態の検査を行うものであった。
【０００５】
【発明が解決しようとする課題】
しかしながら上記従来のプリント配線板用電気検査機では、検査の結果、断線不良と判定した際に、その原因がプリント配線板１のランド２の不良であるのか、あるいは上記ランド２は正常であるにもかかわらず、ゴミなどが付着したりコンタクトピン３が傾斜などの理由によって接触不良を起こし、見掛け上の疑似的な不良なのかどうか原因が明確でなく、さらに確認をしようとしてもその方法が困難であるという課題を有したものであった。
【０００６】
本発明は上記従来の課題を解決し、検査を行って断線不良と判断した際に、その不良内容を正確に、かつ素早く判断することが可能なプリント配線板用電気検査機を提供することを目的とするものである。
【０００７】
【課題を解決するための手段】
上記課題を解決するために本発明によるプリント配線板用検査機は、プリント配線板を保持する保持部と、このプリント配線板に形成された配線パターンの導通を検査する一対のコンタクトピンを植設し上記プリント配線板の上部に位置されかつ上下に昇降するように本体に結合された検査部と、この検査部がプリント配線板の検査を行い不良と判断した際に入力されたアドレスにもとづき不良と判断した位置まで移動して上記検査部および上記プリント配線板の配線パターンを映し出す認識カメラを備え、上記プリント配線板のランドと上記コンタクトピンにゴミが付着しているか否か、また、上記ランドと上記コンタクトピンとの相対位置が合っているか否か、また、上記コンタクトピンに曲がりあるいは傾きがあるか否かについて上記認識カメラにより検査部とプリント配線板を映し出すことにより判定できるようにする判定部と、この判定部を入力されたアドレスにより操作して導通状態に異常があると判断したときの上記プリント配線板と上記検査部の間における不良ポイントに停止するように移動させる操作部と、上記認識カメラに接続され、上記検査部のコンタクトピン、およびそれに対応する上記プリント配線板の配線パターンのランドを映し出すモニター部を備えた構成としたものである。
【０００８】
【作用】
この構成により、プリント配線板に形成されたランドの導通状態に異常があり断線不良と判断した際に、該当するランド部ならびにコンタクトピンを認識カメラによってモニターに映し出すことができ、作業者がモニターを介して不良部分を目視で確認することが可能となり、不良の内容や原因などを正確に、かつ素早く判断することが可能となる。
【０００９】
【実施例】
以下、本発明の一実施例によるプリント配線板用電気検査機について図面を用いて説明する。なお、従来例と同じ構成の部品は同一番号を付与する。
【００１０】
図１は同実施例によるプリント配線板用電気検査機の構成を略図で示した要部斜視図であり、同図において１は主平面にランド２を形成したプリント配線板、４はこのプリント配線板１の上面側の上部に配置され一対のコンタクトピン３を植設した検査部である。
【００１１】
６は端部に認識カメラ５を結合した判定部であり、本体（図示せず）に一端が結合され、操作部９により必要な際に移動してプリント配線板１の上面に移動してくるように構成されている。
【００１２】
７，８は上記認識カメラ５に接続されたモニター部Ａ、モニター部Ｂであり、同図ではモニター部Ａ７はランド２を映し出し、モニター部Ｂ８ではコンタクトピン３を映し出した状態を示している。
【００１３】
このように構成される本発明のプリント配線板用電気検査機は、プリント配線板１を同検査機本体に取付けられた保持部（ともに図示せず）で定位置に固定し、検査部４を下降させることによってコンタクトピン３をプリント配線板１に形成されたランド２の両端部に接触させて検査を行う。
【００１４】
この検査時に、例えばランド２の導通状態に異常があり断線不良と判断した場合に上記検査部４は上昇しプリント配線板１から離れると同時に、作業者によって入力された不良ポイントのアドレスにより操作部９が機能し、判定部６が移動を行いプリント配線板１と検査部４の間に停止する。この判定部６の一端に結合された認識カメラ５は、プリント配線板１上のランド２をモニター部Ａ７に、検査部４に植設されたコンタクトピン３をモニター部Ｂ８に映し出す。
【００１５】
従って、作業者は上記モニター部Ａ７ならびにモニター部Ｂ８に映し出されたランド２ならびにコンタクトピン３を見ることにより、ランド２やコンタクトピン３にゴミなどが付着していないか、あるいはランド２とコンタクトピン３の相対位置が合っているかどうか、あるいはコンタクトピン３の曲がりや傾きがないかどうかなどを目視で容易に確認することが可能となり、不良の内容や原因などを正確に、かつ素早く判断することができるようになる。
【００１６】
【発明の効果】
以上のように本発明によるプリント配線板用電気検査機は、認識カメラによりプリント配線板上のランドと検査部に植設されたコンタクトピンをモニターに映し出すことによって、作業者が不良原因を目視で確認することが可能となり、不良の内容や原因などを正確に、かつ素早く判断することができ、特に今後ますます高密度化するプリント配線板の不良原因解明に大きな実用的効果が得られるものである。
【図面の簡単な説明】
【図１】本発明の一実施例によるプリント配線板用電気検査機の構成を示す要部斜視図
【図２】従来のプリント配線板用電気検査機の構成を示す要部斜視図
【符号の説明】
１  プリント配線板
２  ランド
３  コンタクトピン
４  検査部
５  認識カメラ
６  判定部
７  モニター部Ａ
８  モニター部Ｂ
９  操作部
【図１】
0003693353.tif 000002
【図２】
0003693353.tif 000003